(57)【要約】      （修正有）【課題】照明装置において、光出射部から出射された光を反射させて配光制御を行う際、従来よりも光量の低下を抑える。【解決手段】少なくとも一方側に光を出射する光出射部を有する半導体発光装置１０と、前記光出射部から一方側に出射された光の一部を反射する所定の形状の反射面を有する第１のリフレクター２０と、前記光出射部から一方側に出射された光の一部を反射する所定の形状の反射面を有する第２のリフレクター３０と、を備える照明装置とする。【選択図】図１
2019175811.tif 000002
【特許請求の範囲】
【請求項１】
少なくとも一方側に光を出射する光出射部を有する半導体発光装置と、前記光出射部から一方側に出射された光の一部を反射する反射面を有する第１のリフレクターと、前記光出射部から一方側に出射された光の一部を反射する反射面を有する第２のリフレクターと、を備える照明装置であって、
光軸と一致する平面にて前記光出射部と前記第１のリフレクターと前記第２のリフレクターとを切断した場合の断面において：
前記光出射部は、前記第１のリフレクターの反射面の他方側端部と前記第２のリフレクターの反射面の他方側端部との間に配置されており；
前記第１のリフレクターの前記反射面は、他方側端部から一方側端部に向かうにつれて前記光軸とのなす角度が大きくなるとともに前記光出射部とは反対側に傾いた形状を有し；
前記第２のリフレクターの前記反射面は、前記光軸と平行な形状、又は、少なくとも一方側端部において前記光出射部側に傾いた形状を有する、
照明装置。
【請求項２】
前記第２のリフレクターは、前記光出射部からの１次出射光を反射させて、１次出射光が前記第１のリフレクターに直接当たらない領域を形成する、
請求項１に記載の照明装置。
【請求項３】
前記光出射部の光軸に対して傾いた片側配光が得られる、
請求項１又は２に記載の照明装置。
【請求項４】
前記片側配光の配光角が５°以上９０°未満である、
請求項３に記載の照明装置。
【請求項５】
前記第２のリフレクターの前記反射面の前記他方側端部が、前記光出射部の外周部に沿って連続的に設けられており、且つ、前記光出射部の外周部の３０％以上が前記第２のリフレクターの前記反射面の前記他方側端部によって囲われている、
請求項１〜４のいずれか１項に記載の照明装置。
【請求項６】
前記半導体発光装置が、ＬＥＤを含むチップオンボードタイプである、
請求項１〜５のいずれか１項に記載の照明装置。
【請求項７】
前記光軸に直交する断面において、前記第１のリフレクターの前記反射面が略円形状であり、前記略円形状の中心が前記光軸に一致する、
請求項１〜６のいずれか１項に記載の照明装置。
【請求項８】
ウォールウォッシャー用ダウンライトである、
請求項１〜７のいずれか１項に記載の照明装置。
【請求項９】
請求項１〜８のいずれか１項に記載の照明装置と、前記照明装置からの光が照射される照射対象とを含む、照明システムであって、
前記光軸と一致する平面にて前記光出射部と前記第１のリフレクターと前記第２のリフレクターと前記照射対象とを切断した場合の断面において、
前記光出射部に対して前記照射対象側に前記第１のリフレクターの前記反射面の他方側端部が配置され、前記光出射部に対して前記照射対象とは反対側に前記第２のリフレクターの前記反射面の他方側端部が配置される、
照明システム。
【発明の詳細な説明】
【技術分野】
【０００１】
本願は照明装置及び照明システムを開示する。
【背景技術】
【０００２】
ウォールウォッシャー用ダウンライトのように水平面に設置された場合に鉛直方向に対して傾いた角度で光を出射可能な照明装置が知られている。例えば、特許文献１には、光源の光軸そのものを照射対象へと傾けた片側配光型の照明装置が開示されている。また、特許文献２には、光源から出射された１次出射光をリフレクターやスクープ（scoop）で反射させて配光制御を行う片側配光型の照明装置が開示されている。
【先行技術文献】
【特許文献】
【０００３】
【特許文献１】特開２０１６−２２５０９５号公報
【特許文献２】米国特許第９２３４６４０号
【発明の概要】
【発明が解決しようとする課題】
【０００４】
特許文献１に開示された照明装置にあっては、光源そのものが所定方向に傾いていることから、照明装置の設置方向に制限があるといった課題や、照明装置を他の用途（片側配光を要しない用途）と兼用することが難しいといった課題がある。一方、特許文献２に開示された照明装置によれば、光源から出射された光をリフレクター等で反射させて配光制御を行うことで、光軸そのものを傾けずとも、光の出射方向や出射角度等を変更できるものと考えられる。しかしながら、本発明者の新たな知見によると、特許文献２に開示された照明装置においては、光源から出射された光を反射させて配光制御を行うことで、光量（光束）が大きく低下するという課題がある。
【課題を解決するための手段】
【０００５】
本願は上記課題を解決するための手段の一つとして、少なくとも一方側に光を出射する光出射部を有する半導体発光装置と、前記光出射部から一方側に出射された光の一部を反射する反射面を有する第１のリフレクターと、前記光出射部から一方側に出射された光の一部を反射する反射面を有する第２のリフレクターと、を備える照明装置であって、光軸と一致する平面にて前記光出射部と前記第１のリフレクターと前記第２のリフレクターとを切断した場合の断面において：前記光出射部は、前記第１のリフレクターの反射面の他方側端部と前記第２のリフレクターの反射面の他方側端部との間に配置されており；前記第１のリフレクターの前記反射面は、他方側端部から一方側端部に向かうにつれて前記光軸とのなす角度が大きくなるとともに前記光出射部とは反対側に傾いた形状を有し；前記第２のリフレクターの前記反射面は、前記光軸と平行な形状、又は、少なくとも一方側端部において前記光出射部側に傾いた形状を有する、照明装置を開示する。
【０００６】
本開示の照明装置において、前記第２のリフレクターは、前記光出射部からの１次出射光を反射させて、１次出射光が前記第１のリフレクターに直接当たらない領域を形成することが好ましい。
【０００７】
本開示の照明装置によれば、例えば、前記光出射部の光軸に対して傾いた片側配光が得られる。
【０００８】
本開示の照明装置において、前記片側配光の配光角が５°以上９０°未満であることが好ましい。
【０００９】
本開示の照明装置において、前記第２のリフレクターの前記反射面の前記他方側端部が、前記光出射部の外周部に沿って連続的に設けられており、且つ、前記光出射部の外周部の３０％以上が前記第２のリフレクターの前記反射面の前記他方側端部によって囲われていることが好ましい。
【００１０】
本開示の照明装置において、前記半導体発光装置が、ＬＥＤを含むチップオンボードタイプであることが好ましい。
【００１１】
本開示の照明装置においては、前記光軸に直交する断面において、前記第１のリフレクターの前記反射面が略円形状であり、前記略円形状の中心が前記光軸に一致することが好ましい。
【００１２】
本開示の照明装置は、例えば、ウォールウォッシャー用ダウンライトとして利用可能である。
【００１３】
本願は上記課題を解決するための手段の一つとして、上記本開示の照明装置と、前記照明装置からの光が照射される照射対象とを含む、照明システムであって、前記光軸と一致する平面にて前記光出射部と前記第１のリフレクターと前記第２のリフレクターと前記照射対象とを切断した場合の断面において、前記光出射部に対して前記照射対象側に前記第１のリフレクターの前記反射面の他方側端部が配置され、前記光出射部に対して前記照射対象とは反対側に前記第２のリフレクターの前記反射面の他方側端部が配置される、照明システムを開示する。
【発明の効果】
【００１４】
本開示の照明装置においては、第１のリフレクター及び第２のリフレクターが所定の形状を有することで、光出射部から出射された光を第１のリフレクターや第２のリフレクターで反射させて配光制御を行うことができるとともに、従来よりも光量（光束）の低下を抑えることができる。
【図面の簡単な説明】
【００１５】
【図１】第１実施形態に係る照明装置１００の外観について、半導体発光装置１０、第１のリフレクター２０及び第２のリフレクター３０のみを抽出して示した概略図である。
【図２】照明装置１００について、光軸Ｘと一致する平面にて光出射部１０ａと第１のリフレクター２０と第２のリフレクター３０とを切断した場合の断面の形状を概略的に示す図である。
【図３】半導体発光装置１０の構成の一例を説明するための断面概略図である。
【図４】第１のリフレクター２０の構成の一例を説明するための外観概略図である。
【図５】第１のリフレクター２０の反射面２０ａの形状の特に好ましい例を説明するための断面概略図である。
【図６】第１のリフレクター２０の反射面２０ａの形状の特に好ましい例を説明するための断面概略図である。
【図７】第２のリフレクター３０の構成の一例を説明するための外観概略図である。
【図８】光半導体装置１０の光出射部１０ａと第２のリフレクター３０との位置関係について説明するための概略図である。
【図９】第２のリフレクター３０の反射面３０ａの形状の一例を説明するための断面概略図である。
【図１０】第２のリフレクター３０の反射面３０ａの形状の一例を説明するための断面概略図である。
【図１１】第２のリフレクター３０の反射面３０ａの形状の一例を説明するための断面概略図である。
【図１２】第１のリフレクター２０と第２のリフレクター３０との位置関係について説明するための断面概略図である。
【図１３】第２実施形態に係る照明装置２００について、光軸Ｘと一致する平面にて光出射部１０ａと第１のリフレクター２０と第２のリフレクター１３０とを切断した場合の断面の形状を概略的に示す図である。
【図１４】第３実施形態に係る照明装置３００について、光軸Ｘと一致する平面にて光出射部１０ａと第１のリフレクター２２０と第２のリフレクター３０とを切断した場合の断面の形状を概略的に示す図である。
【図１５】照明装置の配光角について説明するための概略図である。
【図１６】照明装置１００を用いた照明システム１０００について説明するための概略図である。
【図１７】実施例１に係る照明装置をウォールウォッシャーとして使用した場合の床面及び壁面への配光状態を示す図である。
【図１８】実施例１に係る照明装置をウォールウォッシャーとして使用した場合のＣ９０−２７０面に関する配光曲線を示す図である。
【図１９】実施例１に係る照明装置をウォールウォッシャーとして使用した場合の配光図である。
【図２０】比較例１に係る照明装置をウォールウォッシャーとして使用した場合の床面及び壁面へ配光状態を示す図である。
【図２１】比較例１に係る照明装置をウォールウォッシャーとして使用した場合のＣ９０−２７０面に関する配光曲線を示す図である。
【図２２】比較例１に係る照明装置をウォールウォッシャーとして使用した場合の配光図である。
【図２３】実施例において作図した照明装置の一例を示す図である。
【図２４】実施例３〜５及び参考例１〜３に係る結果を示す図である。
【発明を実施するための形態】
【００１６】
１．照明装置１００
図１に、第１実施形態に係る照明装置１００の構成を概略的に示す。図１においては、半導体発光装置１０の少なくとも一部、第１のリフレクター２０の少なくとも一部及び第２のリフレクター３０の少なくとも一部のみを抽出して示しており、その他の部材は省略している。また、図２に、光軸Ｘと一致する平面にて光出射部１０ａと第１のリフレクター２０と第２のリフレクター３０とを切断した場合の断面（図１におけるＩＩ−ＩＩ断面）の形状を概略的に示す。
【００１７】
図１、２に示すように、照明装置１００は、少なくとも一方側に光を出射する光出射部１０ａを有する半導体発光装置１０と、光出射部１０ａから一方側に出射された光の一部を反射する反射面２０ａを有する第１のリフレクター２０と、光出射部１０ａから一方側に出射された光の一部を反射する反射面３０ａを有する第２のリフレクター３０とを備えている。また、図２に示すように、照明装置１００は、光軸Ｘと一致する平面にて光出射部１０ａと第１のリフレクター２０と第２のリフレクター３０とを切断した場合の断面において：光出射部１０ａが、第１のリフレクター２０の反射面２０ａの他方側端部と第２のリフレクター３０の反射面３０ａの他方側端部との間に配置されており；第１のリフレクター２０の反射面２０ａが、他方側端部から一方側端部に向かうにつれて光軸Ｘとのなす角度が大きくなるとともに光出射部１０ａとは反対側に傾いた形状を有し；第２のリフレクター３０の反射面３０ａが、少なくとも一方側端部において光出射部１０ａ側に傾いた形状を有している。
【００１８】
１．１．半導体発光装置１０
半導体発光装置１０は、少なくとも一方側に光を出射する光出射部１０ａを有する。半導体発光装置１０は点光源であっても面光源であってもよいが、特に面光源であることが好ましい。図３に、半導体発光装置１０の一例について、光軸Ｘと一致する平面にて光出射部１０ａを切断した場合の断面を示す。図３に示すように、半導体発光装置１０は光出射面１５を有することが好ましい。以下、光出射面１５を有する半導体発光装置１０について説明する。
【００１９】
図３に示す半導体発光装置１０は、配線基板１１と、複数のＬＥＤチップ１２と、バンク１３と、蛍光体１４を含む封止材料１６とから構成されている。
【００２０】
配線基板１１は、例えば熱伝導率の高いアルミニウム基板である。配線基板１１は、一方の面が実装面１１ａとされて複数のＬＥＤチップ１２及びその動作を制御するための電子回路が実装され、他方の面が被支持面１１ｂとされて固定部材等を介して照明装置１００の筐体等に支持される。配線基板１１は、実装された電子回路を介してＬＥＤチップ１２へ電力を供給することにより、ＬＥＤチップ１２の点灯動作を制御する。
【００２１】
ＬＥＤチップ１２は、配線基板１１から電力が供給されることにより光を発する半導体発光素子である。また、バンク１３は、硬化した樹脂からなり、配線基板１１上において複数のＬＥＤチップ１２を囲む土手として形成される。そして、バンク１３に蛍光体１４を含む封止材料１６を満たすことにより、複数のＬＥＤチップ１２が封止される。このように、半導体発光装置１０は、ＬＥＤを含むチップオンボードタイプの発光モジュールであることが好ましい。このような形態とすることで、表面実装型の発光モジュールに比して高効率で、より照明に適した光源とすることができる。また、ＬＥＤチップ１２の上にレンズ等の部材を別途配置する必要が無く、発光効率の低下を抑制することができる。ＬＥＤチップ１２としては、例えば、４５０ｎｍのピーク波長を有した青色光を発するＬＥＤチップを用いることができる。このようなＬＥＤチップとしては、例えばＩｎＧａＮ半導体が発光層に用いられるＧａＮ系ＬＥＤチップがある。ＬＥＤチップ１２が発する光のピーク波長は、３６０ｎｍ〜４８０ｎｍの波長範囲内にあることが好ましく、４４０ｎｍ〜４７０ｎｍの波長範囲内にあることがより好ましい。ただし、ＬＥＤチップ１２の種類や発光波長特性はこれに限定されるものではない。
【００２２】
バンク１３によって囲まれた領域に満たされた蛍光体１４を含む封止材料１６は、ＬＥＤチップ１２から出射した光の波長を変換するものが好ましい。例えば、ＬＥＤチップ１２から出射された青色光と、当該青色光が蛍光体１４を含む封止材料１６によって波長変換されて出射される光とを合成し、当該合成光を光出射面１５から出射する。ここで、蛍光体１４は、ＬＥＤチップ１２から入射する青色光の少なくとも一部を吸収し、当該青色光の一部を黄色光に波長変換して白色光を合成するものが好ましい。すなわち、蛍光体１４としては、青色光を吸収して励起し、基底状態に戻る際に青色光とは異なる波長の光を発する黄色蛍光体を用いることが好ましい。この場合、黄色蛍光体は、発光ピーク波長が好ましくは５３０ｎｍ以上、より好ましくは５４０ｎｍ以上、さらに好ましくは５５０ｎｍ以上で、好ましくは６２０ｎｍ以下、より好ましくは６００ｎｍ以下、さらにより好ましくは５８０ｎｍ以下の波長範囲にある。黄色蛍光体の好ましい具体例としては、Ｙ３Ａｌ５Ｏ１２：Ｃｅ［ＹＡＧ蛍光体］、（Ｙ，Ｇｄ）３Ａｌ５Ｏ１２：Ｃｅ、（Ｓｒ，Ｃａ，Ｂａ，Ｍｇ）２ＳｉＯ４：Ｅｕ、（Ｃａ，Ｓｒ）Ｓｉ２Ｎ２Ｏ２：Ｅｕ、α−サイアロン、Ｌａ３Ｓｉ６Ｎ１１：Ｃｅ（但し、その一部がＣａやＯで置換されていてもよい）等が挙げられる。
【００２３】
半導体発光装置１０は、上記のような構成により、蛍光体１４を含む封止材料１６の表面である光出射面１５から光を出射することができる。図３に示す半導体発光装置１０において、光出射面１５は、平面視で円形であり、その半径が反射面２０ａの他方側端部の位置や反射面３０ａの他方側端部の位置に応じて決定される。すなわち、図３に示す半導体発光装置１０は、光出射面１５の一方の端部１５ａから、光軸を中心として一方の端部１５ａに対向する他方の端部１５ｂまでの幅を直径とする円を発光面とする面発光タイプの光源となり得る。
【００２４】
尚、半導体発光装置１０を面光源とする場合、光出射面１５の形状は円形に限定されるものではない。多角形であってもよいし、或いは、不定形であってもよい。ただし、配光制御をより容易とする観点、汎用性の観点、照射面の均一性の観点等から、光出射面１５の形状は円形であることが好ましい。また、半導体発光装置１０を面光源とする場合において「光軸」とは以下のように定義する。すなわち、光出射面１５の形状が円形である場合、図１〜３に示すように、当該円の中心と一致して光出射面１５に対して垂直に延びる直線を「光軸」とみなす。一方、光出射面１５の形状が円形以外の形状である場合、当該形状の全体を包含可能な最小の円（外接円）の中心と一致して光出射面１５に対して垂直に延びる直線を「光軸」とみなす。
【００２５】
半導体発光装置１０の光出射部１０ａは、第１のリフレクター２０の反射面２０ａの他方側端部と第２のリフレクター３０の反射面３０ａの他方側端部との間に配置される。ここで、光出射部１０ａの一部が反射面２０ａの他方側端部や反射面３０ａの他方側端部に対して外側（光軸Ｘとは反対側）にはみ出していたとしても、ある程度の効果は確保できる。例えば、半導体発光装置１０を面光源とした場合（光出射部１０ａが光出射面１５を備える場合）、光出射面１５の一部が反射面２０ａの他方側端部や反射面３０ａの他方側端部に対して外側（光軸Ｘとは反対側）にはみ出していてもよい。ただし、光出射部１０ａから出射される光をより効率的に利用する観点からは、図２に示すように、光軸Ｘと一致する平面にて光出射部１０ａと第１のリフレクター２０と第２のリフレクター３０とを切断した場合の断面において、光出射部１０ａの全体が反射面２０ａの他方側端部と反射面３０ａの他方側端部との間に包含される（収まっている）ことが好ましい。例えば、半導体発光装置１０が面光源である場合、光軸Ｘと一致する平面にて光出射部１０ａと第１のリフレクター２０と第２のリフレクター３０とを切断した場合の断面において、光出射面１５の全体が反射面２０ａの他方側端部と反射面３０ａの他方側端部との間に包含される（収まっている）ことが好ましい。
【００２６】
１．２．第１のリフレクター２０
第１のリフレクター２０は、光出射部１０ａから一方側に出射された光の一部を反射する反射面２０ａを有する。ここで、照明装置１００においては、反射面２０ａの形状に一つの特徴がある。すなわち、図２に示すように、光軸Ｘと一致する平面にて光出射部１０ａと第１のリフレクター２０と第２のリフレクター３０とを切断した場合の断面において、反射面２０ａは、他方側端部から一方側端部に向かうにつれて光軸Ｘとのなす角度が大きくなるとともに光出射部１０ａとは反対側に傾いた形状を有する。
【００２７】
第１のリフレクター２０の全体の形状は、光出射部１０ａの形状等に応じて適宜決定すればよい。例えば、第１のリフレクター２０は、トランペットのベルの形状に類似する全体形状を有することが好ましい（以下、これを「トランペット型リフレクター」という場合がある）。すなわち、図４に示すように、第１のリフレクター２０は、他方側端部に光出射部１０を内包可能な略円形の開口２１を有し、一方側端部に当該開口２１よりも大きな略円形の開口２２を有し、開口２１、２２を接続する壁面２３の内壁面が反射面２０ａとして機能することが好ましい。この場合、図４に示すように、光軸Ｘに直交する断面において、第１のリフレクター２０の反射面２０ａが略円形状であり、当該略円形状の中心が光軸Ｘに一致することが好ましい。また、開口２１の直径（内径）Ｄ１と開口２２の直径（内径）Ｄ２との比（Ｄ２／Ｄ１）が１．１以上１００以下であることが好ましい。さらに、開口２１から開口２２までの長さＬと開口２１の直径（内径）Ｄ１との比（Ｌ／Ｄ１）が１以上１５０以下であることが好ましい。
【００２８】
上記の通り、第１のリフレクター２０の反射面２０ａの形状は、光軸Ｘと一致する平面にて光出射部１０ａと第１のリフレクター２０と第２のリフレクター３０とを切断した場合の断面において、他方側端部から一方側端部に向かうにつれて光軸Ｘとのなす角度が大きくなるとともに光出射部１０ａとは反対側に傾いた形状を有する。すなわち、反射面２０ａは当該断面の形状において、内側に向かって（光軸Ｘ側に向かって）凸となる形状を有する。反射面２０ａがこのような形状を有することで、光出射部１０ａから出射された光を第１のリフレクター２０や第２のリフレクター３０で反射させて適切に配光制御を行うことができるとともに、従来よりも光量（光束）の低下を抑えることができる。第２のリフレクター３０を用いて配光制御をおこなった場合の光量（光束）維持率は、第１のリフレクター２０のみを用いた光量（光束）を１００とした場合に、７０％以上であることが好ましく、７５％以上がより好ましく、８０％以上がさらに好ましい。
ここで、反射面２０ａの当該断面の形状は、複数の直線が組み合わされた形状であってもよいし、直線と曲線とが組み合わされた形状であってもよいし、曲線からなる形状であってもよい。特に曲線からなる形状が好ましい。また、反射面２０ａは当該断面の形状において他方側端部から一方側端部に向かうにつれて光軸Ｘとのなす角度が断続的に増加していてもよいし、連続的に増加していてもよい。特に連続的に増加していることが好ましい。反射面２０ａは、本出願人による未公開先願（ＰＣＴ／ＪＰ２０１７／０３７５９９、特願２０１６−２０４１８６）に記載された形状を有することが特に好ましい。第２のリフレクター３０と組み合わせた場合に、より顕著な効果を発揮するためである。以下、反射面２０ａの特に好ましい形状について説明する。
【００２９】
図５に、蛍光体１４を含む封止材料１６と、光出射面１５の端部１５ｂ又はその近傍から一方側に延在する第１のリフレクタ２０の反射側面２０ａの断面を模式的に示す。ここで、光出射面１５と平行な軸を水平軸Ｙとし、光出射面１５の中心を通り水平軸Ｙに垂直な軸を光軸Ｘとする。すなわち、照明装置１００を天井面に設置してダウンライトとして使用する場合、水平軸Ｙが天井面に対して平行になるように配置され、光軸Ｘが照明装置１００の直下の向きとなる。
【００３０】
図５において、第１のリフレクター２０の反射面２０ａは、「第１の円弧」としての円弧ＡＢ、「第２の円弧」としての円弧ＢＣ、及び「第３の円弧」としての円弧ＣＤを連結した曲線を光軸Ｘに対して回動させて得られる面からなる。このとき、点Ａの回動による軌跡が、半径Ｒ１の開口２１の位置に重なる。また、点Ｄの回動による軌跡が、半径Ｒ２の開口２２の位置に重なる。尚、反射面２０ａのうち円弧ＣＤからなる部分は任意である。そのため、第１のリフレクター２０の反射面２０ａが円弧ＣＤを含まない場合には、点Ｃの回動による軌跡が、半径Ｒ２の開口２２の位置となる。以下、反射面２０ａが円弧ＣＤを含む場合について説明を続ける。ここで、円弧ＡＢは第１の円Ｃ１によって規定され、円弧ＢＣは第２の円Ｃ２によって規定され、円弧ＣＤは第３の円Ｃ３によって規定される。
【００３１】
第１の円Ｃ１は、光出射面１５の端部１５ｂ又はその近傍を通り、中心ｏ１が光出射面１５よりも他方側（被支持面１１ｂ側）、すなわち、図５において水平軸Ｙよりも上方に位置する。また、第１の円Ｃ１は、光出射面１５よりも一方側（光出射方向側）、すなわち、図５において水平軸Ｙよりも下方において第２の円Ｃ２に略内接する。そして、第１の円Ｃ１が端部１５ｂと重なる位置を点Ａ、第１の円Ｃ１が第２の円Ｃ２に略内接する位置を点Ｂとして、円弧ＡＢが規定される。
【００３２】
ここで、第１の円Ｃ１の中心ｏ１が光出射面１５よりも他方側（被支持面１１ｂ側）に偏移した位置にあることによって、光出射面１５から出射し円弧ＡＢによって規定される反射側面２０ａで反射した光は、開口２２の方向へ導光される。そのため、円弧ＡＢによって規定される反射面２０ａで反射した光が光出射面１５の方向へ戻ることはなく、照明装置１の発光効率の低下を抑制することができる。
【００３３】
図６は、図５中の点Ａ付近を拡大した概略図である。図６において、第１の円Ｃ１の点Ａにおける接線ＴＬと光出射面１５とがなす角度θ１が８０度以上であることが好ましい。これにより、光軸Ｘの近傍に反射光が集中することを抑制することができる。
【００３４】
第２の円Ｃ２は、点Ｂから第１の円Ｃ１の中心ｏ１を通る半直線上に中心ｏ２を有し、点Ｂにおいて円弧ＡＢと連結される円弧ＢＣを規定する。また、第３の円Ｃ３は、点Ｃにおいて第２の円Ｃ２に略内接し、円弧ＣＤを規定する。第３の円Ｃ３の中心を中心ｏ３とする。ここで、上記の略内接とは、２つの円が接する点において、２つの円の接線が例えば互いに５度以下の角度で交差することを意味し、好ましくは、各接線が共通することにより当該２つの円が内接し、２つの円弧が滑らかに連結される。これにより、第１のリフレクター２０の反射面２０ａは、２つの円弧の連結点において、反射光に対するムラの発生を抑制することができる。また、円弧ＢＣは、円弧ＡＢの２倍以上１０倍以下の長さであることが好ましい。当該比率を２倍以上とすることで、半導体発光装置１０に近い円弧ＡＢによって規定される反射面２０ａで反射する光をビーム角の範囲に均一に分散して導光することができ、光軸Ｘの近傍にも適度な反射光を導くことができる。一方で、当該比率を１０倍以下とすることで、半導体発光装置１０に近い円弧ＡＢによって規定される反射面２０ａで十分な光を反射することができ、光軸Ｘに沿った方向に偏って導光しないため、光軸Ｘの近傍に反射光が集中する虞を低減することができる。
【００３５】
図５に示す通り、光出射面１５の一方の端部１５ａから角度θ２で発せられる光が、対向する他方の端部１５ｂ近傍から光出射方向に延在する反射面２０ａに接するときの接点をＴとする。このとき、半導体発光装置１０が発する光のうち、第１のリフレクター２０で反射することなく開口２２から照明装置１００の外部へ出射される直接光の出射角度は、光出射面１５を基準として角度θ２以上に制限されることになる。ここで、接点Ｔから光軸Ｘに垂直に下した垂線の足ｆまでの距離をｒとし、当該垂線の足ｆから光出射面１５までの距離をｄとした場合、ｄ／（Ｒ１＋ｒ）なる式で計算される値が０．６以上であると、自ずとθ２が約３０°以上となる。つまり、ｄ／（Ｒ１＋ｒ）≧０．６を満たすことにより、照明装置１００は、直接光の俯角が約３０°以上に制限されることになり、光軸Ｘから離れた位置にいる人の視界に浅い角度で直接光を出射しないため、グレアを抑制することができる。
【００３６】
一方、図５に示す通り、開口２２の端点、すなわち、点Ｄから光軸Ｘに垂直に下した垂線の足Ｆまでの距離は、開口２２の半径Ｒ２である。そして、光出射面１５から上記の垂線の足ｆまでの距離ｄは、光出射面１５から垂線の足Ｆまでの距離Ｌの半分以上となるように、第１のリフレクター２０の形状を設定することが好ましい。それにより、円弧ＢＣ上の接点Ｔの位置が点Ｃ側に近づくことになり、半導体発光装置１０が発する光を第１のリフレクター１０のより広い面で反射することができ、配光形状をより広げることができる。
【００３７】
また、反射面２０ａが円弧ＣＤを有することにより、開口２２の半径Ｒ２を調整することができる。それによって、照明装置１００は、例えば、上記の円弧ＡＢ及び円弧ＢＣの形状が半導体発光装置１０の特性に対して最適に設計された後であっても、その形状を変更することなく開口２２の大きさだけを変更して、照明装置１００を設置する天井の凹部サイズ等の制約を満たすことが可能になる。
【００３８】
尚、第１のリフレクター２０の反射面２０ａの他方側端部と、光出射部１０ａ（光出射面１５）の端部（端部１５ａ、１５ｂ）との間には隙間が存在していてもよい。この場合、当該隙間部分に第２のリフレクター３０を配置することができる。ただし、当該隙間が無くとも、第１のリフレクター２０の内壁面の一部や光出射部１０ａの表面（光出射面１５）の一部に第２のリフレクター３０を設置することも可能である。
【００３９】
照明装置１００において第１のリフレクター２０を固定する箇所や方法は特に限定されるものではない。例えば、照明装置１００の筐体等に第１のリフレクター２０の他方側端部を固定部材を介して固定すればよい。また、第１のリフレクター２０を構成する材料は特に限定されない。リフレクターとして適切に機能するように、反射面２０ａを適切な反射材料により構成すればよい。
【００４０】
１．３．第２のリフレクター３０
第２のリフレクター３０は、光出射部１０ａから一方側に出射された光の一部を反射する反射面３０ａを有する。ここで、照明装置１００においては、反射面３０ａの形状に一つの特徴がある。すなわち、図２に示すように、光軸Ｘと一致する平面にて光出射部１０ａと第１のリフレクター２０と第２のリフレクター３０とを切断した場合の断面において、反射面３０ａは、少なくとも一方側端部において光出射部１０ａ側に傾いた形状を有する。このように、第１のリフレクター２０と第２のリフレクター３０とでは反射面の形状が異なる。
【００４１】
第２のリフレクター３０の全体の形状は、光出射部１０ａの形状等に応じて適宜決定すればよい。例えば、図７に示すように、第２のリフレクター３０は、一方側端部に頂点Ｐを有していてもよく、嘴（ビーク）や爪に類似した形状であってもよい。
【００４２】
照明装置１００において、第２のリフレクター３０は、光出射部１０ａからの１次出射光を反射させて、１次出射光が第１のリフレクター２０に直接当たらない領域を形成することが好ましい。例えば、図２に示すように、第１のリフレクター２０の内側に第２のリフレクター３０を設置し、且つ、反射面２０ａの他方側端部と反射面３０ａの他方側端部との間に光出射部１０ａを内包させた場合、第１のリフレクター２０の内壁面のうち第２のリフレクター３０の裏側（図２の紙面右側）に存在する部分２０ｂには光出射部１０ａからの１次出射光が直接照射されず、第２のリフレクター３０の影が伸びるものと考えられる。尚、図１に示すように、第１のリフレクター２０と第２のリフレクター３０とを別体とすることができ、第１のリフレクター２０と独立して第２のリフレクター３０の向きを変更することが可能である。すなわち、例えば第１のリフレクター２０が上記のトランペット型リフレクターである場合、第２のリフレクター３０の向きを変更することで、第１のリフレクター２０の内壁面のうち反射面２０ａとして機能する部分と１次出射光が直接照射されない部分２０ｂとを自在に変更することができる。すなわち、本開示の照明装置１００は、用途に応じて容易に配光を制御することができる。
【００４３】
光出射部１０ａからの出射光のうち、第２のリフレクター３０によって反射される光の量が多いほど、照明装置１００の出射される光の光軸Ｘに対する傾き（配光角）が大きくなるものと考えられる。この点、目的とする配光角等に応じて、第２のリフレクター３０の形状や位置を決定することができる。例えば、図８に示すように、第２のリフレクター３０は、反射面３０ａの他方側端部が、光出射部１０ａの外周部（光出射面１５の外周部）に沿って連続的に設けられており、且つ、光出射部１０ａの外周部の３０％以上が第２のリフレクター３０の反射面３０ａの他方側端部によって囲われていることが好ましい。「光出射部１０ａの外周部」とは、光出射部１０ａの外周又はその近傍をいう。すなわち、光出射部１０ａの外周部を反射面３０ａの他方側端部で囲う場合、目的とする光量（光束）を達成できる範囲で、光出射部１０ａの外周よりも内側（光軸Ｘ側）に反射面３０ａの他方側端部がはみ出していてもよいし、或いは、光出射出部１０ａの外周と反射面３０ａの他方側端部との間に隙間が存在していてもよい。例えば、光出射部１０ａの外周から１ｍｍの範囲内を外周部とする。図８においては反射面３０ａの他方側端部によって円形の光出射部１０ａの外周部を囲う形態について示しているが、多角形状の光出射部１０ａの外周部を囲う場合も同様である。光出射部１０ａの外周部の３０％以上を反射面３０ａの他方側端部で囲うことにより、反射面３０ａによって反射される光の量が多くなり、配光角を大きくすることができる。例えば、ウォールウォッシャー用ダウンライトとする場合に好適な片側配光が得られる。上限は特に限定されないが例えば７０％以下とすることができる。すなわち、光出射部１０ａの外周部の３０％以上７０％以下が第２のリフレクター３０の反射面３０ａの他方側端部によって囲われていることがより好ましい。
【００４４】
反射面３０ａは、少なくとも一方側端部において光出射部１０ａ側に傾いていればよい。反射面３０ａの一方側端部の位置は特に限定されず、目的とする配光角等に応じて適宜決定すればよい。図９（Ａ）に示すように、光軸Ｘと一致する平面にて光出射部１０ａと第１のリフレクター２０と第２のリフレクター３０とを切断した場合の断面において、反射面３０ａの一方側端部が光軸Ｘに対して反射面２０ａとは反対側に存在してもよいし、図９（Ｂ）に示すように、当該断面において、反射面３０ａの一方側端部が光軸Ｘよりも反射面２０ａ側に存在していてもよいし、或いは、図９（Ｃ）に示すように、当該断面において、光軸Ｘと一致する位置に反射面２０ａの一方側端部が存在していてもよい。
【００４５】
反射面３０ａに関し、他方側端部から一方側端部に至るまでの形状は特に限定されない。目的とする配光角等に応じて適宜決定すればよい。例えば、図１０（Ａ）に示すように、光軸Ｘと一致する平面にて光出射部１０ａと第１のリフレクター２０と第２のリフレクター３０とを切断した場合の断面において、反射面３０ａの他方側端部と一方側端部との間の所定の点をＭとした場合、当該点Ｍよりも他方側における反射面３０ａの断面形状を光軸Ｘと略平行な形状とし、当該点Ｍよりも一方側における反射面３０ａの断面形状を光出射部１０ａ側に傾いた形状とすることができる。この場合、点Ｍよりも一方側における反射面３０ａの断面形状を直線状としてもよいし、図１０（Ａ）に示すような曲線状としてもよいし、直線状と曲線状とが組み合わせた形状としてもよい。或いは、図１０（Ｂ）に示すように、反射面３０ａが光軸Ｘと平行な部分を有さずに他方側端部から一方側端部に向かうにつれて光出射部１０ａ側への傾きが徐々に大きくなるような断面形状とすることもできるし、図１０（Ｃ）に示すように、反射面３０ａの他方側端部から一方側端部までの全体において光軸Ｘに対して一定の角度で傾いた直線状の断面形状とすることもできる。反射面３０ａは、少なくとも一方側端部において光出射部１０ａ側に傾いていればよく、図１０に示すような形状以外の形状であってもよい。
【００４６】
反射面３０ａに関し、一方側端部における傾きの角度は特に限定されない。目的とする配光角等に応じて適宜決定すればよい。例えば、図１１に示すように、断面形状において、反射面３０ａの一方側端部の接線と光軸Ｘとのなす角度をθ３とした場合、θ３が３０°以上６０°以下であることが好ましい。下限がより好ましくは４０°以上であり、上限がより好ましくは５０°以下である。
【００４７】
照明装置１００において第２のリフレクター３０を固定する箇所や方法は特に限定されるものではない。例えば、照明装置１００の筐体、半導体発光装置１０の一部、或いは、第１のリフレクター２０の内壁面等に、第２のリフレクター３０の他方側端部を固定部材を介して固定すればよい。ここで、第２のリフレクター３０は照明装置１００において着脱可能とされていることが好ましい。これにより、照明装置１００を設置した後で、第２のリフレクター３０の位置や向きを変更したり、第２のリフレクター３０を取り替えることが容易となる。すなわち、光の出射方向や出射角度等を容易に変更できるとともに、第２のリフレクター３０を取り外すことで、照明装置１００を片側配光を要しない用途にも兼用できる。
【００４８】
第２のリフレクター３０を構成する材料は特に限定されない。リフレクターとして適切に機能するように、反射面３０ａを適切な反射材料により構成すればよい。第１のリフレクター２０と第２のリフレクター３０とを同じ材料によって構成することもできる。
【００４９】
図１２に示すように、光軸Ｘと一致する平面にて光出射部１０ａと第１のリフレクター２０と第２のリフレクター３０とを切断した場合の断面において、光出射部１０の一方側表面（光出射面１５）と一致する軸Ｙから反射面２０ａの一方側端部までの最小長さをＬ１とし、当該軸Ｙから反射面３０ａの一方側端部までの最小長さをＬ２とした場合、Ｌ１／Ｌ２が０．５以上であることが好ましく、より好ましくは０．７以上、さらに好ましくは０．９以上であって、１．１以下であることが好ましい。Ｌ１／Ｌ２が１に近い値となることで、照明装置１００における第２のリフレクター３０の突出量が小さくなり、外観意匠性に優れる照明装置１００とすることができる。また、Ｌ１／Ｌ２が１に近い値の場合、反射面２０ａで反射される光が、効率よく配光される。尚、Ｌ１／Ｌ２が０．５未満であると反射面２０ａで反射される光の一部が反射面２０ａに対向する部分２０ｂ側に漏れる場合がある。
【００５０】
また、図１２に示すように、断面形状において、反射面２０ａの一方側端部と反射面３０ａの一方側端部との間の長さ（光軸Ｘと直交する方向における反射面２０ａの一方側端部と反射面３０ａの一方側端部との距離）をＬ３とした場合、Ｌ３が小さいと照明装置１００から出射される光量（光束）が小さくなり、Ｌ３が大きいと照明装置１００の配光角が小さくなるものと考えられる。両者のバランスをとった場合、Ｌ１／Ｌ３は０．００１以上３以下であることが好ましい。
【００５１】
以上の通り、照明装置１００によれば、第１のリフレクター２０及び第２のリフレクター３０が所定の形状を有することで、光出射部１０ａから出射された光を第１のリフレクター２０や第２のリフレクター３０で反射させて配光制御を行うことができるとともに、従来よりも光量（光束）の低下を抑えることができる。
【００５２】
２．照明装置２００
上記説明では、第２のリフレクター３０の反射面３０ａが、少なくとも一方側端部において光出射部１０ａ側に傾いた形状を有する照明装置１００について説明した。しかしながら、第２のリフレクターの反射面の形状はこれに限定されない。以下、第２実施形態に係る照明装置２００について説明する。第２実施形態において、第１実施形態と同じ構成については同一の符号を付し、説明を省略する。図１３に、照明装置２００において、光軸Ｘと一致する平面にて光出射部１０ａと第１のリフレクター２０と第２のリフレクター１３０とを切断した場合の断面の形状を概略的に示す。図１３に示すように、照明装置２００は、第２のリフレクターの反射面の形状が異なること以外は、照明装置１００と同じ構成を備える。すなわち、照明装置２００は、光軸Ｘと一致する平面にて光出射部１０ａと第１のリフレクター２０と第２のリフレクター３０とを切断した場合の断面において、第２のリフレクター１３０の反射面１３０ａが、光軸Ｘと平行な形状を有している。
【００５３】
第２のリフレクター１３０の反射面１３０ａの断面形状がこのような直線状であっても、光出射部１０ａからの光を反射させて配光制御を行うことが可能である。ただし、配光角をより大きくする場合は、第１実施形態のように、第２のリフレクター３０の反射面３０を、少なくとも一方側端部において光出射部１０ａ側に傾いた形状とすることが好ましい。
【００５４】
３．照明装置３００
上記説明では、断面形状において、第１のリフレクター２０が光軸Ｘに対して対称に設けられ、第２のリフレクター３０の裏側（光軸Ｘとは反対側）にも第１のリフレクター２０が存在する形態について説明し、このような第１のリフレクター２０の具体例としてトランペット型リフレクターを例示した。しかしながら、第１のリフレクター２０の内壁面のうち光出射部１０ａからの１次出射光が直接当たらない部分２０ｂ（図２参照）は、配光制御の観点からは必ずしも必要がない。すなわち、図１４に示す照明装置３００のように、第１のリフレクター２２０は、断面形状において、光軸Ｘに対して非対称となるように設けられていてもよい。具体的には、第１のリフレクター２２０の内壁面のうち光出射部１０ａからの１次出射光が直接当たらない部分（図２の部分２０ｂ）については切り欠かれていてもよい。ただし、照明装置の汎用性等を考慮した場合、照明装置１００、２００のように、断面形状において、第１のリフレクター２０が光軸Ｘに対して対称に設けられ、第２のリフレクター３０の裏側にも第１のリフレクター２０が存在していることが好ましい。
【００５５】
４．照明装置の配光角
本開示の照明装置においては、光出射部１０ａから出射された光の一部が第１のリフレクター２０と第２のリフレクター３０とによって反射される。これにより、光出射部１０ａの光軸Ｘに対して傾いた片側配光が得られる。本開示の照明装置においては、第２のリフレクター３０の形状を調整すること等によって、当該片側配光の配光角を容易に調整可能である。例えば、図１５に示すように、片側配光の配光角θ４を５°以上９０°未満とすることが好ましい。θ４の下限はより好ましくは１０°以上、上限はより好ましくは８０°以下である。
【００５６】
５．照明装置の用途
上述の通り、本開示の照明装置によれば、光出射部１０ａの光軸Ｘそのものを傾けることなく、光軸Ｘに対して傾いた片側配光が得られる。本開示の照明装置は、この特性を生かして、例えば、ウォールウォッシャー用ダウンライトとして好適に利用できる。ただし、本開示の照明装置による照射対象は壁等の平面物に限定されるものではなく、美術品等の立体物を照射対象としてもよい。以下、本開示の照明装置と照射対象との位置関係を説明するために、本開示の照明装置１００と照射対象５００とを含む照明システム１０００について説明する。尚、以下の照明システム１０００は例示であり、照明システムにおける照明装置の構成や照明システムにおける照明装置と照射対象との位置関係等は以下の形態に限定されるものではない。
【００５７】
６．照明システム１０００
図１６に示すように、照明システム１０００は、照明装置１００と、照明装置１００からの光が照射される照射対象５００とを含む。照明システム１０００は、光軸Ｘと一致する平面にて光出射部１０ａと第１のリフレクター２０と第２のリフレクター３０と照射対象５００とを切断した場合の断面において、光出射部１０ａに対して照射対象５００側に第１のリフレクター２０の反射面２０ａの他方側端部が配置され、光出射部１０ａに対して照射対象５００とは反対側に第２のリフレクター３０の反射面３０ａの他方側端部が配置される。このような照明システム１０００により、光軸Ｘそのものを傾けずとも、照明装置１００から照射対象５００に向けて適切に光を照射することができる。
【００５８】
７．補足
尚、特許文献２に開示された照明システムにおいては、光出射部に対して照射対象とは反対側に第１のリフレクター（kicker reflector）の反射面（illuminated area）が配置され、光出射部に対して照射対象側に第２のリフレクター（scoop）が配置される。すなわち、本開示の照明システム１０００と特許文献２に開示された照明システムとでは、第１のリフレクターと第２のリフレクターとの位置関係が逆である。本開示の照明装置においては、光出射部から出射された光について、第２のリフレクターにて１回反射させるだけで、照射対象に効率的に光を照射することができる。すなわち、光出射部から出射された光の反射回数を少なくすることができ、光量（光束）の低下を抑えることができる。
【００５９】
さらに、本開示の照明システムにおいては、第１のリフレクターの反射面が内側（光軸Ｘ側）に凸となっており、特許文献２に開示されたリフレクターとは反射面の膨らみの向きが逆である。本発明者の新たな知見によれば、第１のリフレクターの反射面を内側に凸とすることで、第２のリフレクターを組み合わせた場合に、従来よりも光量（光束）の低下を抑えることができる。
【実施例】
【００６０】
１．照明装置の評価方法
積分球による光量測定とゴニオメーターによる配光測定により照明装置の評価を行った。各評価装置は、大塚電子社製積分球Ｌａｂｓｐｈｅｒｅ  ＦＭ９１００とシステムロード社製ゴニオメーターＲＲ８−２０００とを使用した。
【００６１】
シミュレーションによる作図は、ＳｏｌｉｄＷｏｒｋｓ社の３ＤＣＡＤソフト、ＳｏｌｉｄＷｏｒｋｓ２０１８、光学シミュレーションは、ラムダリサーチ社のトレースプロ2018を使用した。ゴニオメーター、ＲＲ８−２０００で測定したＩＥＳファイルより、その配光を解析ソフトＤＩＡＬｕｘｅｖｏ７．１にて、配光図を作製した。
【００６２】
２．第１のリフレクターの形状に関する検討
２．１．実施例１及び比較例１
第１のリフレクターとしてトランペット型リフレクター（全体形状については図４参照、反射面形状については図５参照）を有する照明装置に対し、第２のリフレクターの有無による光束（Flux）の増減を測定した。第２のリフレクターは図７のような嘴状（ビーク）（より詳しくは図２３参照）とした。すなわち、第２のリフレクターの反射面は、少なくとも一方側端部において光出射部側に傾いた形状を有するものとした。図１１のθ３を４５°とし、図１２のＬ１とＬ２とを一致させるものとした。結果を下記表１に示す。
【００６３】
２．２．比較例２及び比較例３
特許文献２に開示されているように、第１のリフレクターとしてお椀型（凹型）のリフレクターを有する照明装置に対し、第２のリフレクター（ビーク）の有無による光束（Flux）の増減を測定した。第２のリフレクターの形状は実施例１と同様とした。結果を下記表１に示す。
【００６４】
【表１】
2019175811.tif 000003
【００６５】
表１に示す結果の通り、トランペット型リフレクターのみで第２のリフレクターを設けなかった場合（比較例１）の光束を１００％として、第２のリフレクターを設けた場合（実施例１）の光束の維持率は８２．９％であった。一方、凹型リフレクターのみで第２のリフレクターを設けなかった場合（比較例２）の光束を１００％として、第２のリフレクターを設けた場合（比較例３）の光束の維持率は５８．２％であった。以上の通り、第１のリフレクターに第２のリフレクターを組み合わせる場合、第１のリフレクターは凹型よりもトランペット型とする（すなわち、第１のリフレクターの反射面が、他方側端部から一方側端部に向かうにつれて光軸とのなす角度が大きくなるとともに光出射部とは反対側に傾いた形状を有する）ことで、光量（光束）の低下を抑えることができることが分かった。
【００６６】
３．照明装置の配光測定
３．１．実施例２
実施例１に係る照明装置をウォールウォッシャー用ダウンライトとした場合を想定して配光測定を実施した。結果を図１７〜１９に示す。図１７が実施例１に係る照明装置をウォールウォッシャー用ダウンライトとして使用した場合の床面及び壁面への配光状態を示す図である。図１８が実施例１に係る照明装置をウォールウォッシャー用ダウンライトとして使用した場合のＣ９０−２７０面に関する配光曲線を示す図である。図１９が実施例１に係る照明装置をウォールウォッシャー用ダウンライトとして使用した場合の配光図である。
【００６７】
図１７〜１９に示す結果から明らかなように、照明装置に第２のリフレクター（ビーク）を取り付けることにより、ウォールウォッシャー用ダウンライトとして好適な片側配光が得られることが確認された。
【００６８】
３．２．比較例４
比較例１に係る照明装置をウォールウォッシャー用ダウンライトとした場合を想定して配光測定を実施した。結果を図２０〜２２に示す。図２０が比較例１に係る照明装置をウォールウォッシャー用ダウンライトとして使用した場合の床面及び壁面への配光状態を示す図である。図２１が比較例１に係る照明装置をウォールウォッシャー用ダウンライトとして使用した場合のＣ９０−２７０面に関する配光曲線を示す図である。図２２が比較例１に係る照明装置をウォールウォッシャー用ダウンライトとして使用した場合の配光図である。
【００６９】
図２０〜２２に示す結果から明らかなように、照明装置に第２のリフレクター（ビーク）を取り付けない場合、対称配光となることが確認された。すなわち、第２のリフレクター（ビーク）を取り付けない場合、照明装置をウォールウォッシャー用ダウンライトとして機能させることは難しいことが分かった。
【００７０】
４．第２のリフレクター（ビーク）の形状に関する検討
４．１．実施例３〜５
ＳｏｌｉｄＷｏｒｋｓ社の３ＤＣＡＤソフト、ＳｏｌｉｄＷｏｒｋｓ２０１８により、第１のリフレクター（トランペット型リフレクター）、第２のリフレクター（ビーク）、ＬＥＤチップ（Luminus社、CXM-11）を作図した。作図した照明装置の一例を図２３に示す。作図した照明装置について、ラムダリサーチ社のトレースプロ２０１８により、光学シミュレーションを実施した。ＬＥＤチップに対し、図８に示すように、第２のリフレクター（ビーク）で覆われる連続境界（光出射部の外周部を第２のリフレクターの反射面の他方側端部によって連続的に囲う割合）を３０％、５０％、７０％とした。
【００７１】
４．２．参考例１〜３
ＳｏｌｉｄＷｏｒｋｓ社の３ＤＣＡＤソフト、ＳｏｌｉｄＷｏｒｋｓ２０１８により、第１のリフレクター（トランペット型リフレクター）、第２のリフレクター（ビーク／不連続にするために穴を開けた。）、ＬＥＤチップ（Luminus社、CXM-11）を作図した。作図した照明装置について、ラムダリサーチ社のトレースプロ２０１８により、光学シミュレーションを実施した。実施例３〜５と同様に、ＬＥＤチップに対し、第２のリフレクター（ビーク）で覆われる不連続境界を３０％、５０％、７０％とした。
【００７２】
図２４にシミュレーションの結果を示す。図２４に示すように、第２のリフレクターが不連続となると、漏れ光が発生し、本来第２のリフレクターにより遮断される一次出射光が、第１のリフレクターに当たることが分かる。すなわち、ウォールウォッシャー用ダウンライトとする場合は、第２のリフレクターを光出射部の外周部に連続的に設けることが好ましいと言える。
【産業上の利用可能性】
【００７３】
本開示の照明装置は、例えば、ウォールウォッシャー用のダウンライトとして好適に利用できる。
【符号の説明】
【００７４】
１０  半導体発光装置
１０ａ  光出射部
２０  第１のリフレクター（トランペット型リフレクター）
２０ａ  反射面
３０  第２のリフレクター（ビーク）
３０ａ  反射面
１００〜３００  照明装置
５００  照射対象
１０００  照明システム
【図１】
2019175811.tif 000004
【図２】
2019175811.tif 000005
【図３】
2019175811.tif 000006
【図４】
2019175811.tif 000007
【図５】
2019175811.tif 000008
【図６】
2019175811.tif 000009
【図７】
2019175811.tif 000010
【図８】
2019175811.tif 000011
【図９】
2019175811.tif 000012
【図１０】
2019175811.tif 000013
【図１１】
2019175811.tif 000014
【図１２】
2019175811.tif 000015
【図１３】
2019175811.tif 000016
【図１４】
2019175811.tif 000017
【図１５】
2019175811.tif 000018
【図１６】
2019175811.tif 000019
【図１７】
2019175811.tif 000020
【図１８】
2019175811.tif 000021
【図１９】
2019175811.tif 000022
【図２０】
2019175811.tif 000023
【図２１】
2019175811.tif 000024
【図２２】
2019175811.tif 000025
【図２３】
2019175811.tif 000026
【図２４】
2019175811.tif 000027